【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
デバイスであって、
出力電圧を提供するように構成される電力モジュールと、前記電力モジュールは、
電圧源から入力電圧を受信するように構成される入力段と、
前記入力段に結合される出力段と、前記出力段は、前記出力電圧と基準電圧間の差を示すフィードバック信号に、少なくとも部分的に基づいて、前記出力電圧を提供するように構成され、
を備え、
通信信号を処理するように構成される通信モジュールと、前記通信モジュールは、
前記出力段から前記出力電圧を受信することと、
前記電力モジュールに前記フィードバック信号を提供することと、
前記フィードバック信号に、少なくとも部分的に基づいて、雑音適応信号を提供することと、
を行うように構成される電圧フィードバックモジュールと、
前記雑音適応信号を受信することに応答して前記通信信号上で信号処理オペレーションを修正するように構成される通信処理ブロックと、ここにおいて、前記修正された信号処理オペレーションは、前記通信信号上で前記電力モジュールからの雑音の影響を低減し、
を備え、
を備える、デバイス。
【請求項２】
前記通信処理ブロックは、
前記雑音適応信号に、少なくとも部分的に基づいて、少なくとも１つの信号処理パラメータを決定することと、
前記少なくとも１つの信号処理パラメータに、少なくとも部分的に基づいて、前記通信信号上で前記信号処理オペレーションを修正することと、
を行うように構成される、請求項１に記載のデバイス。
【請求項３】
前記雑音適応信号に、少なくとも部分的に基づいて、前記少なくとも１つの信号処理パラメータを決定するように構成される前記通信処理ブロックは、
複数の信号処理パラメータを決定することと、
前記複数の信号処理パラメータを記憶することと、
前記通信信号上で前記信号処理オペレーションを修正するために前記雑音適応信号に、少なくとも部分的に基づいて、前記複数の信号処理パラメータのうちの少なくともサブセットを選択することと、
を行うように構成される前記通信処理ブロックを備える、請求項２に記載のデバイス。
【請求項４】
前記通信処理ブロックは、前記複数の信号処理パラメータを記憶するためのルックアップテーブルを備える、請求項３に記載のデバイス。
【請求項５】
前記雑音適応信号に、少なくとも部分的に基づいて、前記複数の信号処理パラメータのうちの少なくともサブセットを選択するように構成される前記通信処理ブロックは、前記雑音適応信号のステータスに、少なくとも部分的に基づいて、前記複数の信号処理パラメータのうちの少なくともサブセットを選択するようにさらに構成される、請求項３に記載のデバイス。
【請求項６】
前記入力電圧は、交流電流（ＡＣ）入力電圧であり、前記入力段は、ＡＣ電力線から前記入力電圧を受信するように構成される、請求項１に記載のデバイス。
【請求項７】
前記通信モジュールは、前記ＡＣ電力線を通して送信のために通信データを提供するように構成される、請求項６に記載のデバイス。
【請求項８】
前記雑音適応信号は、前記フィードバック信号である、請求項１に記載のデバイス。
【請求項９】
前記出力段は、前記出力段の中の電流フローを制御するように構成されるスイッチングコンポーネントを備える、請求項１に記載のデバイス。
【請求項１０】
前記フィードバック信号は、スイッチングコンポーネントに結合される、請求項１に記載のデバイス。
【請求項１１】
前記通信信号に結合される雑音は、前記デバイスを動作するより前に特徴付けられる、請求項１に記載のデバイス。
【請求項１２】
前記入力段は、交流電流（ＡＣ）電力線を通してＡＣ電力を受信し、前記ＡＣ電力線に通信信号を結合するように構成されるＡＣ入力段であり、
前記出力段は、前記ＡＣ入力段からＡＣ電力を受信し、直流電流（ＤＣ）出力電圧を提供するように構成されるＤＣ出力段であり、前記出力電圧は前記ＤＣ出力電圧である、請求項１に記載のデバイス。
【請求項１３】
前記電力モジュールは、パワーアップイベントの間前記ＤＣ出力電圧を提供するように構成されるスタートアップバイアス回路を備える、請求項１２に記載のデバイス。
【請求項１４】
方法であって、
デバイスの電力モジュールから電圧を、前記デバイスの通信モジュールで、受信することと、
前記通信モジュールでフィードバック信号を決定することと、ここにおいて、前記フィードバック信号は、前記電力モジュールからの前記電圧を調整し、
前記フィードバック信号に、少なくとも部分的に基づいて、雑音適応信号を決定することと、
前記電力モジュールからの雑音の影響を低減するために前記雑音適応信号を受信することに応答して前記通信モジュールの中の信号処理オペレーションを調整することと、
を備える方法。
【請求項１５】
実行されるとき、少なくとも１つのコンピュータに、請求項１４による方法を実行させるための実行可能な命令を備える、コンピュータプログラム。
【手続補正２】
【補正対象書類名】明細書
【補正対象項目名】００８０
【補正方法】変更
【補正の内容】
【００８０】
[0085]  複数のインスタンスが、単数のインスタンスとして本明細書で説明されたコンポーネント、オペレーション、または構成のために提供され得る。最後に、様々なコンポーネント、オペレーションおよびデータストア間の境界は、いくらか恣意的であり、特定のオペレーションが、特定の例示的な構成との関連で例示される。機能性の他の割り当ては、想定され、発明の主題事項の範囲内に含まれ得る。一般に、例示の構成の中の別個のコンポーネントとして提示される構造および機能性は、組み合わされた構造またはコンポーネントとしてインプリメントされ得る。同様に、単一のコンポーネントとして提示された構造および機能性は、別個のコンポーネントとしてインプリメントされ得る。これらのおよび他の変形、修正、追加、および改良は、発明の主題事項の範囲内に含まれ得る。
以下に、本願出願の当初の特許請求の範囲に記載された発明を付記する。
［Ｃ１］
デバイスであって、
出力電圧を提供するように構成される電力モジュールと、前記電力モジュールは、
電圧源から入力電圧を受信するように構成される入力段と、
前記入力段に結合される出力段と、前記出力段は、前記出力電圧と基準電圧間の差を示すフィードバック信号に、少なくとも部分的に基づいて、前記出力電圧を提供するように構成され、
を備え、
通信信号を処理するように構成される通信モジュールと、前記通信モジュールは、
前記出力段から前記出力電圧を受信することと、
前記電力モジュールに前記フィードバック信号を提供することと、
前記フィードバック信号に、少なくとも部分的に基づいて、雑音適応信号を提供することと、
を行うように構成される電圧フィードバックモジュールと、
前記雑音適応信号を受信することに応答して前記通信信号上で信号処理オペレーションを修正するように構成される通信処理ブロックと、ここにおいて、前記修正された信号処理オペレーションは、前記通信信号上で前記電力モジュールからの雑音の影響を低減し、
を備え、
を備える、デバイス。
［Ｃ２］
前記通信処理ブロックは、
前記雑音適応信号に、少なくとも部分的に基づいて、少なくとも１つの信号処理パラメータを決定することと、
前記少なくとも１つの信号処理パラメータに、少なくとも部分的に基づいて、前記通信信号上で前記信号処理オペレーションを修正することと、
を行うように構成される、Ｃ１に記載のデバイス。
［Ｃ３］
前記雑音適応信号に、少なくとも部分的に基づいて、前記少なくとも１つの信号処理パラメータを決定するように構成される前記通信処理ブロックは、
複数の信号処理パラメータを決定することと、
前記複数の信号処理パラメータを記憶することと、
前記通信信号上で前記信号処理オペレーションを修正するために前記雑音適応信号に、少なくとも部分的に基づいて、前記複数の信号処理パラメータのうちの少なくともサブセットを選択することと、
を行うように構成される前記通信処理ブロックを備える、Ｃ２に記載のデバイス。
［Ｃ４］
前記通信処理ブロックは、前記複数の信号処理パラメータを記憶するためのルックアップテーブルを備える、Ｃ３に記載のデバイス。
［Ｃ５］
前記雑音適応信号に、少なくとも部分的に基づいて、前記複数の信号処理パラメータのうちの少なくともサブセットを選択するように構成される前記通信処理ブロックは、前記雑音適応信号のステータスに、少なくとも部分的に基づいて、前記複数の信号処理パラメータのうちの少なくともサブセットを選択するようにさらに構成される、Ｃ３に記載のデバイス。
［Ｃ６］
前記入力電圧は、交流電流（ＡＣ）入力電圧であり、前記入力段は、ＡＣ電力線から前記入力電圧を受信するように構成される、Ｃ１に記載のデバイス。
［Ｃ７］
前記通信モジュールは、前記ＡＣ電力線を通して送信のために通信データを提供するように構成される、Ｃ６に記載のデバイス。
［Ｃ８］
前記雑音適応信号は、前記フィードバック信号である、Ｃ１に記載のデバイス。
［Ｃ９］
前記出力段は、前記出力段の中の電流フローを制御するように構成されるスイッチングコンポーネントを備える、Ｃ１に記載のデバイス。
［Ｃ１０］
前記フィードバック信号は、スイッチングコンポーネントに結合される、Ｃ１に記載のデバイス。
［Ｃ１１］
前記通信信号に結合される雑音は、前記デバイスを動作するより前に特徴付けられる、Ｃ１に記載のデバイス。
［Ｃ１２］
デバイスであって、
交流電流（ＡＣ）電力線を通してＡＣ電力を受信し、前記ＡＣ電力線に通信信号を結合するように構成されるＡＣ入力段と、
前記ＡＣ入力段からＡＣ電力を受信し、直流電流（ＤＣ）出力電圧と基準電圧間の差を示すフィードバック信号に、少なくとも部分的に基づいて、前記ＤＣ出力電圧を提供するように構成されるＤＣ出力段と、
を備える電力モジュールと、
前記通信信号を処理するように構成される通信モジュールと、前記通信モジュールは、
前記ＤＣ出力段から前記ＤＣ出力電圧を受信することと、
前記電力モジュールに前記フィードバック信号を提供することと、
前記フィードバック信号に、少なくとも部分的に基づいて、雑音適応信号を提供することと、
を行うように構成される電圧フィードバックモジュールと、
前記電力モジュールから前記通信信号を受信し、前記雑音適応信号を受信することに応答して前記通信信号上で信号処理オペレーションを修正すること、ここにおいて、前記修正された信号処理オペレーションは、前記通信信号上で前記電力モジュールからの雑音の影響を低減し、
を行うように構成される通信処理ブロックと、
を備え、
を備える、デバイス。
［Ｃ１３］
前記通信処理ブロックは、
前記雑音適応信号に、少なくとも部分的に基づいて、少なくとも１つの信号処理パラメータを決定することと、
前記少なくとも１つの信号処理パラメータに、少なくとも部分的に基づいて、前記通信信号上で前記信号処理オペレーションを修正することと、
を行うように構成される、Ｃ１２に記載のデバイス。
［Ｃ１４］
前記雑音適応信号に、少なくとも部分的に基づいて、前記少なくとも１つの信号処理パラメータを決定するように構成される前記通信処理ブロックは、
複数の信号処理パラメータを決定することと、
前記複数の信号処理パラメータを記憶することと、
前記通信信号上で前記信号処理オペレーションを修正するために前記雑音適応信号に、少なくとも部分的に基づいて、前記複数の信号処理パラメータのうちの少なくともサブセットを選択することと、
を行うように構成される前記通信処理ブロックを備える、Ｃ１３に記載のデバイス。
［Ｃ１５］
前記通信処理ブロックは、前記複数の信号処理パラメータを記憶するためのルックアップテーブルを備える、Ｃ１４に記載のデバイス。
［Ｃ１６］
前記雑音適応信号に、少なくとも部分的に基づいて、前記複数の信号処理パラメータのうちの少なくともサブセットを選択するように構成される前記通信処理ブロックは、前記雑音適応信号のステータスに、少なくとも部分的に基づいて、前記複数の信号処理パラメータのうちの少なくともサブセットを選択するように構成される前記通信処理ブロックを備える、Ｃ１４に記載のデバイス。
［Ｃ１７］
前記電力モジュールは、前記電力モジュールの中の電流フローを制御するように構成されるスイッチングトランジスタを備え、ここにおいて、前記フィードバック信号は、前記スイッチングトランジスタを動作するように構成される、Ｃ１２に記載のデバイス。
［Ｃ１８］
前記スイッチングトランジスタに前記フィードバック信号を結合するように構成される絶縁カプラをさらに備える、Ｃ１７に記載のデバイス。
［Ｃ１９］
前記電力モジュールは、パワーアップイベントの間前記ＤＣ出力電圧を提供するように構成されるスタートアップバイアス回路を備える、Ｃ１２に記載のデバイス。
［Ｃ２０］
フィードバック信号のアクティビティを検出するように構成される検出回路、ここにおいて、前記検出回路は、前記絶縁カプラを通して前記フィードバック信号に結合され、
をさらに備える、Ｃ１８に記載のデバイス。
［Ｃ２１］
パワーアップイベントの間前記スイッチングトランジスタを動作するように構成されるスタートアップ回路、ここにおいて、前記パワーアップイベントは、フィードバック信号のアクティビティが前記検出回路を経て検出されないとき、示され、
をさらに備える、Ｃ２０に記載のデバイス。
［Ｃ２２］
前記スタートアップ回路は、前記スイッチングトランジスタを動作するように構成されるリンギングチョーク回路を備える、Ｃ２１に記載のデバイス。
［Ｃ２３］
前記雑音適応信号は、前記フィードバック信号である、Ｃ１２に記載のデバイス。
［Ｃ２４］
前記電力モジュールは、カスコード構成の中の金属酸化物半導体電界効果トランジスタ（ＭＯＳＦＥＴ）に結合されるスイッチングトランジスタを備え、ここにおいて、前記スイッチングトランジスタおよび前記ＭＯＳＦＥＴは、前記電力モジュールの中の電流フローを制御するように構成される、Ｃ１２に記載のデバイス。
［Ｃ２５］
電力モジュールからの雑音が、前記デバイスを動作するより前に特徴付けられる、Ｃ１２に記載のデバイス。
［Ｃ２６］
方法であって、
デバイスの電力モジュールから電圧を、前記デバイスの通信モジュールで、受信することと、
前記通信モジュールでフィードバック信号を決定することと、ここにおいて、前記フィードバック信号は、前記電力モジュールからの前記電圧を調整し、
前記フィードバック信号に、少なくとも部分的に基づいて、雑音適応信号を決定することと、
前記電力モジュールからの雑音の影響を低減するために前記雑音適応信号を受信することに応答して前記通信モジュールの中の信号処理オペレーションを調整することと、
を備える方法。
［Ｃ２７］
前記通信モジュールの中の前記信号処理オペレーションを調整することは、ルックアップテーブルから少なくとも１つの信号処理パラメータを取り出すことと、前記調整された信号処理オペレーションを決定するために前記取り出された少なくとも１つの信号処理パラメータを使用することと、を備える、Ｃ２６に記載の方法。
［Ｃ２８］
前記フィードバック信号は、前記電力モジュールからの前記電圧と基準電圧間の差に、少なくとも部分的に基づく、Ｃ２６に記載の方法。
［Ｃ２９］
前記取り出された少なくとも１つの信号処理パラメータは、前記電力モジュールからの雑音の特徴に、少なくとも部分的に基づく、Ｃ２７に記載の方法。
［Ｃ３０］
前記雑音適応信号は、前記フィードバック信号である、Ｃ２６に記載の方法。
［Ｃ３１］
前記フィードバック信号は、前記電力モジュールの中のスイッチングトランジスタに結合されるスイッチング信号である、Ｃ２６に記載の方法。